(57)【特許請求の範囲】
【請求項１】
撮影光学系からの光により焦点板上に形成された被写界像の観察を可能とするファインダ光学系と、
前記ファインダ光学系の少なくとも一部を介して前記焦点板から入射した光を用いて前記被写界像に関する測定を行う測定手段と、
前記焦点板を通って前記ファインダ光学系に向かう光路中に配置され、前記被写界像に重畳されて前記ファインダ光学系を通して観察されるファインダ内情報を表示する液晶表示素子と、
前記測定手段によって前記測定が開始されるタイミングよりも前の非表示制御タイミングにて前記液晶表示素子を表示状態から非表示状態に向かわせるための非表示制御を開始し、該測定が終了するタイミングよりも前の表示制御タイミングにて前記液晶表示素子を前記非表示状態から前記表示状態に向かわせるための表示制御を開始する制御手段と、
温度を検出する温度検出手段とを有し、
前記制御手段は、前記温度検出手段による検出温度が所定温度よりも低い場合は、前記検出温度が前記所定温度よりも高い場合に比べて、前記非表示制御タイミングおよび前記表示制御タイミングのうち少なくとも一方を早くすることを特徴とする撮像装置。
【請求項２】
前記測定が、撮影動作が行われることなく繰り返し行われる場合において、
前記制御手段は、前記検出温度が前記所定温度よりも低い場合は、前記検出温度が前記所定温度よりも高い場合に比べて、前記非表示制御タイミングおよび前記表示制御タイミングを早くすることを特徴とする請求項１に記載の撮像装置。
【請求項３】
前記測定が、連続撮影中の撮影動作ごとに繰り返し行われる場合において、
前記制御手段は、前記検出温度が前記所定温度よりも低い場合は、前記検出温度が前記所定温度よりも高い場合に比べて、前記表示制御タイミングを早くすることを特徴とする請求項１に記載の撮像装置。
【請求項４】
撮影光学系からの光により焦点板上に形成された被写界像の観察を可能とするファインダ光学系と、前記ファインダ光学系の少なくとも一部を介して前記焦点板から入射した光を用いて前記被写界像に関する測定を行う測定手段と、前記焦点板を通って前記ファインダ光学系に向かう光路中に配置され、前記被写界像に重畳されて前記ファインダ光学系を通して観察されるファインダ内情報を表示する液晶表示素子と、温度を検出する温度検出手段とを有する撮像装置の制御方法であって、
前記測定手段によって前記測定が開始されるタイミングよりも前の非表示制御タイミングにて前記液晶表示素子を表示状態から非表示状態に向かわせるための非表示制御を開始するステップと、
前記測定が終了するタイミングよりも前の表示制御タイミングにて前記液晶表示素子を前記非表示状態から前記表示状態に向かわせるための表示制御を開始するステップとを有し、
前記温度検出手段による検出温度が所定温度よりも低い場合は、前記検出温度が前記所定温度よりも高い場合に比べて、前記非表示制御タイミングおよび前記表示制御タイミングのうち少なくとも一方を早くすることを特徴とする撮像装置の制御方法。
【発明の詳細な説明】
【技術分野】
【０００１】
本発明は、光学ファインダを通して観察される被写界像に対してマークや文字等のファインダ内情報を重畳させて表示する、いわゆるスーパーインポーズ表示機能を有する撮像装置に関する。
【背景技術】
【０００２】
上記のような撮像装置には、撮影光学系からの光によって光学像（被写体像）が形成される焦点板の近傍に、該被写体像に対してファインダ内情報をスーパーインポーズ表示するための液晶表示素子をファインダ内表示素子として配置したものがある。ファインダ内表示素子においては、透明電極によりファインダ内情報に対応した表示パターンが形成されている。表示パターンに対する電圧の印加／遮断を切り換えることで、表示パターンに対向する液晶領域の非透過（拡散）／透過、つまりはファインダ内情報の表示／非表示（表示のＯＮ／ＯＦＦ）を切り換えることができる。
【０００３】
また、上記のような光学ファインダを有する撮像装置には、焦点板からの光を用いて該焦点板上に形成された被写界像の輝度や色等の情報（以下、被写界情報という）を測定し、該被写界情報を用いて露出演算を行うものがある。このような撮像装置にファインダ内表示素子が設けられると、被写界像だけでなくスーパーインポーズ表示中のファインダ内情報までも被写界情報の測定対象として取り込まれることになり、真に必要な被写界情報の測定の妨げとなる可能性がある。
【０００４】
特許文献１には、被写界情報の測定開始に応答してファインダ内表示素子によるファインダ内情報の表示を消す（ＯＦＦする）ことにより、ファインダ内情報が被写界情報の測定を妨げないようにした撮像装置が開示されている。
【先行技術文献】
【特許文献】
【０００５】
【特許文献１】特開平０４−３０８８２５号公報
【発明の概要】
【発明が解決しようとする課題】
【０００６】
しかしながら、一般的な液晶表示素子における液晶の応答速度は、温度環境が低温になるほど遅くなる。例えば、液晶が光を拡散する状態から透過させる状態に変化する、いわゆる立ち上り時間は、常温（摂氏２５℃）では数十ｍＳであるが、−１０℃では数百ｍＳと大幅に遅く（長く）なる。液晶が透過状態から非透過状態に変化する、いわゆる立ち下り時間についても同様である。
【０００７】
このため、特許文献１のように通常の液晶表示素子をファインダ内表示素子として用いた撮像装置では、以下のような問題がある。被写界情報の測定を行う時間（例えば１０ｍＳ）の間に液晶表示素子の表示を一旦ＯＦＦし、再度ＯＮする制御を行う場合、液晶の応答速度が速い常温下では該測定への影響はほとんどない。ところが、液晶の応答速度が遅い−１０℃等の低温下では、被写界情報の測定が行われる１０ｍＳの間に液晶が非透過状態から十分に透過状態に変化しない（ほぼ非透過状態のままである）ので、正しい被写界情報の測定ができない。
【０００８】
本発明は、温度環境にかかわらず、ファインダ内情報の良好なスーパーインポーズ表示と被写界情報の正確な測定とを両立させることができるようにした撮像装置を提供する。
【課題を解決するための手段】
【０００９】
本発明の一側面としての撮像装置は、撮影光学系からの光により焦点板上に形成された被写界像の観察を可能とするファインダ光学系と、ファインダ光学系の少なくとも一部を介して焦点板から入射した光を用いて被写界像に関する測定を行う測定手段と、焦点板を通ってファインダ光学系に向かう光路中に配置され、被写界像に重畳されてファインダ光学系を通して観察されるファインダ内情報を表示する液晶表示素子と、測定手段によって測定が開始されるタイミングよりも前の非表示制御タイミングにて液晶表示素子を表示状態から非表示状態に向かわせるための非表示制御を開始し、該測定が終了するタイミングよりも前の表示制御タイミングにて液晶表示素子を非表示状態から表示状態に向かわせるための表示制御を開始する制御手段と、温度を検出する温度検出手段とを有する。そして、制御手段は、温度検出手段による検出温度が所定温度よりも低い場合は、検出温度が所定温度よりも高い場合に比べて、非表示制御タイミングおよび表示制御タイミングのうち少なくとも一方を早くすることを特徴とする。
【００１０】
また、本発明の他の一側面としての制御方法は、撮影光学系からの光により焦点板上に形成された被写界像の観察を可能とするファインダ光学系と、ファインダ光学系の少なくとも一部を介して焦点板から入射した光を用いて被写界像に関する測定を行う測定手段と、焦点板を通ってファインダ光学系に向かう光路中に配置され、被写界像に重畳されてファインダ光学系を通して観察されるファインダ内情報を表示する液晶表示素子と、温度を検出する温度検出手段とを有する撮像装置に適用される。該制御方法は、測定手段によって測定が開始されるタイミングよりも前の非表示制御タイミングにて液晶表示素子を表示状態から非表示状態に向かわせるための非表示制御を開始するステップと、測定が終了するタイミングよりも前の表示制御タイミングにて液晶表示素子を非表示状態から表示状態に向かわせるための表示制御を開始するステップとを有する。そして、温度検出手段による検出温度が所定温度よりも低い場合は、検出温度が前記所定温度よりも高い場合に比べて、非表示制御タイミングおよび表示制御タイミングのうち少なくとも一方を早くすることを特徴とする。
【発明の効果】
【００１１】
本発明では、検出温度が所定温度よりも低い場合は高い場合に比べて液晶表示素子の非表示制御や表示制御のタイミングを早くする。これにより、温度環境にかかわらず、ファインダ内情報の良好なスーパーインポーズ表示を行うことができ、また被写界情報の正確な測定をも行うことができる。
【図面の簡単な説明】
【００１２】
【図１】本発明の実施例でのカメラにおける連続測光中の液晶駆動タイミングを説明するタイミングチャート。
【図２】実施例のカメラにおける連続撮影中の液晶駆動タイミングを説明するタイミングチャート。
【図３】実施例のカメラの光学的構成を示すブロック図。
【図４】実施例のカメラの電気的構成を示すブロック図。
【図５】実施例のカメラにおけるファインダ視野を示す図。
【図６】実施例のカメラにおける撮影シーケンスを示すフローチャート。
【図７】実施例のカメラにおける液晶駆動シーケンスを示すフローチャート。
【図８】実施例のカメラに用いられるＰＮ液晶表示素子の動作原理を説明する図。
【図９】上記ＰＮ液晶表示素子の液晶応答性と透過率の変化を示す図。
【発明を実施するための形態】
【００１３】
以下、本発明の実施例について図面を参照しながら説明する。
【００１４】
図３には、本発明の実施例である撮像装置としての一眼レフデジタルカメラ（以下、単にカメラという）を含むカメラシステムの構成を示している。同図において、１００はカメラであり、１０５が該カメラ１００に取り外し可能（交換可能）に装着される交換レンズである。交換レンズ１０５内には、複数のレンズや絞り等を含む撮影光学系１０５ａが収容されている。１３１は撮影光学系１０５ａに含まれるフォーカスレンズを光軸方向に移動させるフォーカスアクチュエータである。
【００１５】
カメラ１００において、１０１はＣＰＵ等により構成されるカメラコントローラ（制御手段）であり、カメラ１００および交換レンズ１０５の動作を制御する。１０６はＣＣＤセンサやＣＭＯＳセンサ等の光電変換素子により構成される撮像素子であり、撮影光学系１０５ａにより形成された被写界の光学像である被写界像を光電変換する。後述する画像処理部は、撮像素子１０６からの出力信号に対して各種画像処理を行って表示用画像（電子ビューファインダ画像）や記録用画像を含む撮影画像（画像データ）を生成する。
【００１６】
１２８はピント板（焦点板）であり、撮影光学系１０５ａの撮像素子側の結像面と等価な光学ファインダ側の結像面に配置されている。１２６はハーフミラーにより構成される主ミラーであり、撮影光学系１０５ａから撮像素子１０６に向かう撮影光路に対して進退（すなわち、ダウン位置とアップ位置への移動）が可能である。撮影光学系１０５ａからの光の一部は、ダウン位置にある主ミラー１２６で反射して、撮像素子１０６上に形成する被写界像と等価な被写界像をピント板１２８上（焦点板上）に形成する。
【００１７】
ピント板１２８上に被写界像を形成した光は、ペンタプリズム１２７にて複数回反射された後、接眼レンズ１２１を通ってユーザの眼に到達する。ペンタプリズム１２７および接眼レンズ１２１は、ファインダ光学系を構成する。このＴＴＬ方式の光学ファインダは、ユーザに、ファインダ光学系を通したピント板１２８上の被写界像の観察を可能とする。光学ファインダにより観察可能な視野を、以下、ファインダ視野という。
【００１８】
一方、撮影光学系１０５ａからの光のうち主ミラー１２６を透過した光は、主ミラー１２６の背後に配置されたサブミラー１２２で反射して、焦点検出ユニット１１９に導かれる。焦点検出ユニット１１９は、後述する焦点検出領域ごとに、入射光に一対の被写界像を形成させる二次結像レンズと、該一対の被写界像を光電変換して一対の像信号を出力する一対のラインセンサとを有する。カメラコントローラ１０１は、一対の像信号の位相差を演算して撮影光学系１０５ａの焦点状態を検出する位相差検出方式による焦点検出を行う。さらに、カメラコントローラ１０１は、該焦点状態（デフォーカス量）に基づいてフォーカスレンズを合焦位置に移動させる。これにより、位相差検出方式によるオートフォーカス（ＡＦ）が行われる。
【００１９】
１２９は測光レンズであり、１３０はシリコンフォトダイオードにより構成される二次元受光センサとしての測光センサである。測光レンズ１２９は、ファインダ光学系の少なくとも一部（例えば、本実施例ではペンタプリズム１２７）を介してピント板１２８から入射した光に、測光センサ１３０上にて測光用被写界像を形成させる。測光センサ１３０は、撮影範囲にほぼ対応するファインダ視野を複数（例えば、縦３×横５）に分割して設定した測光領域ごとに測光用被写界像の輝度を検出する。そして、該被写界輝度を示すアナログ信号を、後述する測光制御部を通じてカメラコントローラ１０１に出力する。このようにして、被写界に関する測定である測光が行われる。測光センサ１３０およびカメラコントローラ１０１により測定手段が構成される。
【００２０】
なお、本実施例では、被写界に関する測定の例として測光を挙げたが、他の測定として被写界の色の測定（測色）を行ってもよい。
【００２１】
また、測光センサ１３０の回路部には、温度センサ１３０ａが内蔵されている。該温度センサ１３０ａは、カメラ１００の内部温度（特に、光学ファインダ付近の温度）を検出する。温度センサ１３０ａは、測光制御部を通じて、検出した内部温度を示すアナログ信号をカメラコントローラ１０１に出力する。温度センサ１３０ａおよびカメラコントローラ１０１により温度検出手段が構成される。
【００２２】
１１２はファインダ内表示素子であり、高分子分散液晶（以下、ＰＮ液晶という）を用いた液晶表示素子（以下、ＰＮ液晶パネルともいう）により構成されて、ピント板１２８とペンタプリズム１２７との間に配置されている。言い換えれば、ファインダ内表示素子１１２は、ピント板１２８を通ってファインダ光学系に向かうファインダ光路中に配置されている。ファインダ内表示素子１１２は、ピント板１２８上に形成された被写界像に重畳されてファインダ光学系を通して観察されるファインダ内情報を表示する。ファインダ内情報としては、ファインダ視野内に複数設けられる焦点検出領域や測光領域を示すマークや、被写界像中の人物の顔等の特定被写体を囲む枠、その他、文字や記号等、様々なものを含む。
【００２３】
なお、ファインダ内表示素子１１２は必ずしもピント板１２８とペンタプリズム１２７との間に配置されている必要はなく、ピント板１２８よりも主ミラー１２６に近い位置であってもよいし、ペンタプリズム１２７の射出面の付近であってもよい。
【００２４】
ＰＮ液晶パネルは、表示用液晶パネルとして広く用いられているＴＮ液晶パネルよりも透過状態での透過率が高いことから、カメラのファインダ内表示素子として用いられる。ＰＮ液晶パネルにより構成されたファインダ内表示素子１１２は、例えば、焦点検出ユニット１１９による焦点検出が行われる前は透過状態（非表示状態）とされている。そして、複数の焦点検出領域のうちいずれか１又は２以上の焦点検出領域で焦点検出が行われ、その結果に基づくＡＦによりカメラコントローラ１０１が特定の焦点検出領域で合焦状態が得られたと判定する。このとき、カメラコントローラ１０１は、ファインダ内表示素子１１２のうち、該特定焦点検出領域に対応した表示キャラクタ部を形成する液晶領域のみを非透過状態（拡散状態）、すなわち表示状態として該表示キャラクタ部を視認可能とする。これにより、ユーザに被写界のうちピントが合った領域を認識させることができる。
【００２５】
また、測光センサ１３０を通じて測定された被写界輝度が所定値以下と判定したカメラコントローラ１０１は、ファインダ内表示素子１１２の前側に配置された発光素子であるＬＥＤ１２３を発光させる。ＬＥＤ１２３からの光は、導光プリズム１２４を介してファインダ内表示素子１１２に照射される。これにより、ファインダ内表示素子１１２における非透過状態となっている表示キャラクタ部のみがユーザには光って見え、被写界が暗い場合でもピントが合った領域を明確に表示することができる。
【００２６】
図８を用いて、ＰＮ液晶パネル（ファインダ内表示素子１１２）の動作原理について説明する。ＰＮ液晶パネルは、上下２枚の板ガラス１１２ａ，１１２ｂとその間に封止された不図示の液晶層とにより構成される。２枚の板ガラス１１２ａ，１１２ｂにおける液晶層に対向する面には、ＩＴＯ（透明電極）による電極パターン（以下、単に電極という）が形成されている。下側の板ガラス１１２ｂの液晶層側の面には、表示キャラクタ部に対応する電極Ｌ２と他の電極Ｌ１とがパターニングされている。一方、上側の板ガラス１１２ａの液晶層側の面の全体にはＣＯＭ電極がパターニングされている。ＣＯＭ電極と電極Ｌ１，Ｌ２との間に電圧を加えることで、液晶層における表示キャラクタ部に対向する液晶領域の透過／非透過を切り替えることが可能となる。
【００２７】
ＰＮ液晶は、電圧を印加しないと液晶内部の材料の屈折率が様々に異なるためにここに入射した光を散乱し、外観上は非透過（不透明）の状態となる。ＰＮ液晶に電圧を印加すると、液晶内部の材料の屈折率が一様となり、外観上、透過（透明）の状態となる。
【００２８】
したがって、通常はＣＯＭ電極と電極Ｌ１，２電極間には電圧を印加（通電ＯＮ）して透明な状態にし、ファインダを覗くユーザに表示キャラクタ部を見せないようにしている。これにより、光学ファインダを通じて被写界をクリアに観察することが可能となる。
【００２９】
オートフォーカスによって撮影光学系１０５ａが合焦状態となると、合焦状態が得られた特定焦点検出領域に対して設けられた表示キャラクタ部の電極Ｌ２への通電を遮断（ＯＦＦ）することで、該表示キャラクタ部のみが不透明（黒）となる。これにより、ファインダ視野のうち不透明となって視認可能となった表示キャラクタ部が示す領域においてピントが合ったことをユーザに知らせることができる。
【００３０】
図５には、ファインダ視野内での表示の例を示している。ファインダ視野内には、焦点検出ユニット１１９によって焦点検出が可能な１５個の焦点検出領域Ｆ１１〜Ｆ３５に対応してファインダ内表示素子１１２上に設けられた表示キャラクタ部が配置されている。なお、図中に破線で示した表示キャラクタ部は透過状態（非表示状態）にあることを示しており、実際には観察されない。
【００３１】
焦点検出とＡＦが行われ、１５個の焦点検出領域のうち特定焦点検出領域にて撮影光学系１０５ａの合焦状態が得られると、該特定焦点検出領域に対応した表示キャラクタ部が非透過状態（表示状態）となる。これにより、該表示キャラクタ部の矩形枠とその中の点が黒く表示される。中央の黒い点は、ＡＦが完了したことを示す。
【００３２】
図５には、焦点検出領域Ｆ１２，Ｆ１３，Ｆ２３，Ｆ３３に対応する表示キャラクタ部が黒く表示されている状態を示している。実際に焦点検出とＡＦが行われた特定焦点検出領域はＦ２３であるが、該特定焦点検出領域Ｆ２３での被写体距離と等価な被写体距離の（つまりは合焦状態が得られている）他の焦点検出領域Ｆ１２，Ｆ１３，Ｆ３３の表示キャラクタ部も黒く表示されている。ここにいう等価な被写体距離とは、焦点深度内に含まれるという意味である。
【００３３】
なお、このように特定焦点検出領域だけでなく特定焦点検出領域での被写体距離と等価な被写体距離の焦点検出領域の表示キャラクタ部も黒く表示されるのは、カメラコントローラ１０１が所定のアルゴリズムに従って特定焦点検出領域を選択した場合である。一方、特定焦点検出領域をユーザが選択することも可能であり、この場合は、特定焦点検出領域の表示キャラクタ部のみが黒く表示される。
【００３４】
また、図５中の１５個の焦点検出領域Ｆ１１〜Ｆ３５はそれぞれ、測光センサ１３０にて１５個設定された測光領域Ｓ１１〜Ｓ３５に含まれている。なお、図５中に破線で示す測光領域は、実際には観察されない。
【００３５】
さらに、ファインダ視野の下方には、シャッタスピード、撮影光学系１０５ａの絞り値および撮影可能画像数等の撮影情報を表示する撮影情報内部表示部１１５が設けられている。
【００３６】
図３において、ユーザが後述するレリーズボタン（レリーズスイッチ）を全押し操作すると、主ミラー１２６は撮影光路外に退避する。一方、撮影光学系１０５ａによって集光された被写界からの光（被写界像）は、フォーカルプレーンシャッタ１３３にてその光量が制御され、撮像素子１０６によって光電変換される。そして、画像処理部は、撮像素子１０６からの出力信号を処理して撮影画像を生成し、これを記録メディアに記録したり背面モニタである外部表示部１１３に表示したりする。
【００３７】
図４には、本実施例のカメラ１００の電気的構成を示している。１０１は図３にも示したカメラコントローラ（ＣＰＵ）であり、その内部には不揮発性メモリであるＥＥＰＲＯＭ１０１ａが構成されている。また、カメラコントローラ１０１には、制御プログラムを記憶しているＲＯＭ１０２の他、ＲＡＭ１０３、データ格納部１０４、画像処理部１０８、表示制御部１１１、レリーズスイッチ１１４および電源供給用のＤＣ／ＤＣコンバータ１１７が接続されている。画像処理部１０８には、撮像素子制御部１０７が接続されている。
【００３８】
表示制御部１１１には、ＴＦＴカラー液晶パネル等により構成される背面モニタ（外部表示部）１１３と、前述した撮影情報内部表示部１１５と、ファインダ内表示素子（ＰＮ液晶パネル）１１２とが接続されており、表示制御部１１１はこれらの駆動を行う。カメラコントローラ１０１は、表示制御部１１１を通じて、ファインダ内表示素子１１２の表示キャラクタ部の非表示制御（表示ＯＦＦ制御）と表示制御（表示ＯＮ制御）を行う。
【００３９】
ＬＥＤ制御部１２５は、カメラコントローラ１０１の指示を受けてファインダ内表示素子１１２を照明するためのＬＥＤ１２３の明るさを制御する。また、ＤＣ／ＤＣコンバータ１１７には電池１１６から電源が供給されている。
【００４０】
カメラコントローラ１０１は、ＲＯＭ１０２内の制御プログラムに従って各種制御を行う。具体的には、画像処理部１０８から出力された撮影画像を読み込んでＲＡＭ１０３に転送する処理や、ＲＡＭ１０３からＬＣＤ制御部１１１にデータを転送する処理や、画像データをＪＰＥＧ圧縮してファイル形式でデータ格納部１０４に格納する処理を制御する。さらに、カメラコントローラ１０１は、撮像素子１０６、撮像素子制御部１０７、画像処理部１０８およびＬＣＤ制御部１１１に対してデータ取り込み画素数やデジタル画像処理の変更を指示する。
【００４１】
１１９Ａは前述した焦点検出ユニット１１９に設けられた一対のラインセンサを含む焦点検出制御部である。焦点検出制御部１１９Ａは、一対のラインセンサから得られた一対の像信号をＡ／Ｄ変換してカメラコントローラ１０１に送る。カメラコントローラ１０１は、焦点検出制御部１１９におけるラインセンサの電荷蓄積時間とＡＧＣ（オートゲインコントロール）の制御を行う。また、カメラコントローラ１０１は、前述したように一対の像信号の位相差を演算して撮影光学系１０５ａのデフォーカス量を求め、該デフォーカス量に基づいてフォーカスレンズの合焦位置（移動量）を算出する。そして、カメラコントローラ１０１は、図３に示したフォーカスアクチュエータ１３１を駆動してフォーカスレンズを合焦位置に移動させる。これにより、ＡＦによる合焦状態が得られる。
【００４２】
また、カメラコントローラ１０１は、レリーズスイッチ１１４の操作に伴う撮影動作や、各部への電源供給を制御する。
【００４３】
ＲＡＭ１０３は、画像展開エリア１０３ａ、ワークエリア１０３ｂ、ＶＲＡＭ１０３ｃおよび一時退避エリア１０３ｄを備えている。画像展開エリア１０３ａは、画像処理部１０８から送られてきた撮影画像（ＹＵＶデジタル信号）やデータ格納部１０４から読み出されたＪＰＥＧ圧縮画像データを一時的に格納するためのテンポラリバッファとして用いられる。また、画像展開エリア１０３ａは、画像の圧縮処理や解凍処理のための画像専用ワークエリアとしても使用される。
【００４４】
ワークエリア１０３ｂは、各種プログラムを実行するためのワークエリアである。ＶＲＡＭ１０３ｃは、背面モニタ１１３に表示する表示データを格納するＶＲＡＭとして使用される。また、一時退避エリア１０３ｄは、各種データを一時退避させるためのエリアである。
【００４５】
データ格納部１０４は、ＣＰＵ１０１によりＪＰＥＧ圧縮された撮影画像のデータや、アプリケーションによって参照される各種付属データ等をファイル形式で格納しておくためのフラッシュメモリである。
【００４６】
撮像素子制御部１０７は、撮像素子１０６に対して転送クロック信号やシャッタ信号を供給するためのタイミングジェネレータと、撮像素子１０６からの出力信号のノイズ除去やゲイン処理を行うための回路を含む。また、撮像素子制御部１０７は、撮像素子１０６から出力されたアナログ信号である撮像信号を１０ビットデジタル信号に変換するためのＡ／Ｄ変換回路や、カメラコントローラ１０１からの解像度変換指示に従って画素間引き処理を行うための回路等も含む。
【００４７】
また、画像処理部１０８は、撮像素子制御部１０７から出力された１０ビットデジタル信号に対してガンマ変換、色空間変換、ホワイトバランス、ＡＥおよびフラッシュ補正等の画像処理を行う。これにより、ＹＵＶ（４：２：２）フォーマットの８ビットデジタル信号である撮影画像データを出力する。撮影光学系１０５ａ、撮像素子１０６、撮像素子制御部１０７および画像処理部１０８により撮像系が構成される。
【００４８】
表示制御部１１１は、画像処理部１０８から転送されたＹＵＶデジタル画像データやデータ格納部１０４の画像ファイルに対してＪＰＥＧの解凍を行ったＹＵＶデジタル画像データを受け取り、ＲＧＢデジタル信号に変換する。そして、該ＲＧＢデジタル信号により表される画像を背面モニタ１１３に出力する。
【００４９】
レリーズスイッチ１１４は、不図示のレリーズボタンを介して第１ストローク操作（半押し操作）されることでオンになる第１のスイッチ（ＳＷ１）と、第２ストローク操作（全押し操作）されることでオンになる第２のスイッチ（ＳＷ２）とを含む。第１のスイッチのオンにより、測光やオートフォーカス等の撮影準備動作が行われ、第２のスイッチのオンにより、記録用画像の生成である撮影動作が行われる。
【００５０】
測光制御部１３２は、カメラコントローラ１０１の指示に従って、測光センサ１３０を駆動し、測光センサ１３０から出力されたアナログ信号をカメラコントローラ１０１に送る。カメラコントローラ１０１は、後述するように、該アナログ信号を用いて被写界輝度情報を生成し、さらに該被写界輝度情報に基づいて露出値であるシャッタスピードおよび絞り値を設定する。
【００５１】
測光センサ１３０およびカメラコントローラ１０１により行われる測光動作は、以下の通りである。測光センサ１３０は、分割された１５個の測光領域においてそれぞれ検出した被写界輝度を示すアナログ信号を、測光制御部１３２を通じてカメラコントローラ１０１に出力する。カメラコントローラ１０１は、該アナログ信号をＡ／Ｄ変換してデジタル信号を生成する。そして、該デジタル信号に対して、撮影光学系１０５ａの明るさを示すＦナンバーに関する補正、測光センサ出力のばらつきに関する補正（レベル／ゲインの調整）、さらに撮影光学系１０５ａの光学特性に応じた測光補正を行い、最終的な被写界輝度情報を得る。この被写界輝度情報は、被写界に関する測定により得られた被写界情報である。カメラコントローラ１０１は、このようにして得られた被写界輝度情報に基づいて露出演算を行い、前述したようにシャッタスピードおよび絞り値を設定する。
【００５２】
また、前述したように、測光センサ１３０は温度センサ１３０ａを内蔵している。カメラコントローラ１０１は、温度センサ１３０ａから出力されたアナログ信号を測光制御部１３２を通じて得て、該アナログ信号をＡ／Ｄ変換してデジタル信号としての温度情報を生成する。
【００５３】
電池１１６は、リチャージャブルな２次電池あるいは乾電池である。ＤＣ／ＤＣコンバータ１１７は、電池１１６から供給された電源の昇圧やレギュレーションを行って複数の電源を作り出し、カメラコントローラ１０１その他の各部に必要な電源を供給する。ＤＣ／ＤＣコンバータ１１７は、カメラコントローラ１０１からの制御信号１１８により各部への電源供給の開始、停止を制御できる。
【００５４】
次に、図６のフローチャートを用いて、本実施例のカメラで行われる処理（制御方法）について説明する。主としてコンピュータとしてのカメラコントローラ１０１が、その内部メモリに格納されたコンピュータプログラムに従って本処理を実行する。このことは、後に図７を用いて説明する処理についても同じである。
【００５５】
まずステップＳ２００において、ユーザによりカメラ１００に設けられた不図示の電源スイッチがＯＮにされると、カメラコントローラ１０１は、ステップＳＳ２０１において、レリーズスイッチ１１４が半押し操作されてスイッチＳＷ１がＯＮされるまで待機する。
【００５６】
スイッチＳＷ１がＯＮになると、カメラコントローラ１０１は、ステップＳ２０２に進み、「測光動作１」を行う。「測光動作１」は、できるだけ早くユーザに露出値の演算結果を知らせるために、まだＡＦによる合焦状態が得られていない状態で行われる。ここでは、カメラコントローラ１０１は、測光センサ１３０を用いて測光領域ごとの被写界輝度情報を得て、これを内部メモリに記憶する。また、カメラコントローラ１０１は、得られた被写界輝度情報に基づいて、所定の測光アルゴリズムに従って露出演算を行い、露出値（シャッタスピードおよび絞り値）を決定する。なお、露出値の演算は、測光領域ごとの被写界輝度情報の単純な加算平均を用いて行ってもよいし、後述するステップＳ２０６にて決定する特定焦点検出領域に対応した測光領域に最大の重み付けをした演算により行ってもよい。
【００５７】
次にステップＳ２０３において、カメラコントローラ１０１は、焦点検出領域選択モードが手動モードに設定されているか否か（手動モードか自動モードか）を判定する。手動モードに設定されているときはステップＳ２０４に進み、自動モードに設定されているときはステップＳ２０５に進む。
【００５８】
ステップＳ２０４では、カメラコントローラ１０１は、カメラ１００に設けられた不図示のダイヤルのユーザによる操作に応じて、図５に示した１５個の焦点検出領域Ｆ１１〜Ｆ３５のうち１個の焦点検出領域（特定焦点検出領域）を選択する。そして、カメラコントローラ１０１は、特定焦点検出領域に対応する表示キャラクタ部の表示ＯＮ制御を行い、ユーザに現在選択されている焦点検出領域を知らせる。
【００５９】
一方、ステップＳ２０５では、カメラコントローラ１０１は、焦点検出ユニット１１９を用いた位相差検出方式の焦点検出を１５個の焦点検出領域において行う。そして、これにより得られた各焦点検出領域でのデフォーカス量に基づいて、自動選択アルゴリズムに従って１個の焦点検出領域（特定焦点検出領域）を選択する。自動選択アルゴリズムとしては、中央の焦点検出領域に大きな重み付けをした近点優先アルゴリズム等、どのようなアルゴリズムを用いてもよい。
【００６０】
このようにしてステップＳ２０４またはステップＳ２０５にて１個の特定焦点検出領域が決定されると、ステップＳ２０６に進む。ステップＳ２０６では、カメラコントローラ１０１は、選択された特定焦点検出領域にて得られたデフォーカス量と交換レンズ１０５のレンズ駆動敏感度等の光学情報とを用いて、フォーカスレンズの合焦位置までの駆動量（合焦駆動量）を算出する。
【００６１】
次にステップＳ２０７において、カメラコントローラ１０１は、フォーカスレンズを合焦駆動量だけ駆動し、特定焦点検出領域内の被写体（合焦被写体）に対する合焦状態を得る。
【００６２】
次にステップＳ２０８において、カメラコントローラ１０１は、ファインダ内表示素子１１２における特定焦点検出領域に対応した表示キャラクタ部（例えば図５中のＦ２３）の表示ＯＮ制御を行う。さらに、カメラコントローラ１０１は、前述した焦点検出領域選択モードが自動モードであった場合は、合焦被写体と等価な被写体距離にある被写体を含む焦点検出領域に対応した表示キャラクタ部（例えば図５中のＦ１２，Ｆ１３，Ｆ３３）の表示ＯＮ制御も行う。
【００６３】
次にステップＳ２０９では、カメラコントローラ１０１は、撮影光学系１０５ａの合焦状態が得られている状態において後述する撮影動作を開始するための最終的な露出値を決定するための「測光動作２」を行う。
【００６４】
ここで、カメラコントローラ１０１は、ステップＳ２０８でのファインダ内表示素子１１２の表示キャラクタ部の表示ＯＮ制御の後、ステップＳ２０９での「測光動作２」の前後において、該液晶表示キャラクタ部の表示ＯＦＦ制御と再度の表示ＯＮ制御とを行う。この液晶表示キャラクタ部の表示ＯＦＦ／ＯＮ制御の概要を、図７のフローチャートを用いて説明する。
【００６５】
ステップＳ２０８にて液晶表示キャラクタ部の表示ＯＮ制御、すなわち図８に示す電極Ｌ２に対する通電ＯＦＦにより、該液晶表示キャラクタ部は透過状態から非透過状態となってファインダ視野内で視認可能となる。次に、カメラコントローラ１０１は、ステップＳ３０３にて、温度センサ１３０ａを通じてカメラの内部温度を示す温度情報を取得し、該内部温度が所定温度である０℃以下か否か（０℃より低いか否か）を判定する。０℃以下である場合はステップＳ３０４に進み、０℃より高い場合はステップＳ３０５に進む。
【００６６】
ステップＳ３０４では、カメラコントローラ１０１は、表示キャラクタ部の表示ＯＦＦ制御（電極Ｌ２の通電ＯＮ）および表示ＯＮ制御（電極Ｌ２の通電ＯＦＦ）を行うタイミングを設定するためのタイマとして、低温用タイマ（第２のタイマ）をセットする。一方、ステップＳ３０５では、カメラコントローラ１０１は、表示キャラクタ部の表示ＯＦＦ制御および表示ＯＮ制御を行うタイミングを設定するためのタイマとして、常温用タイマ（第１のタイマ）をセットする。これらのタイマの情報はＥＥＰＲＯＭ１０１ａに予め書き込まれており、カメラコントローラ１０１は、ＥＥＰＲＯＭ１０１ａからこの情報を読み込んでタイマをセットする。
【００６７】
次にステップＳ３０６では、カメラコントローラ１０１は、セットしたタイマに基づいて、ステップＳ２０９での「測光動作２」を開始する前に、表示キャラクタ部の表示ＯＦＦ制御（電極Ｌ２の通電ＯＮ）を行う。これにより、「測光動作２」における表示キャラクタ部の表示による測光への影響を低減する。
【００６８】
次にステップＳ３０７では、カメラコントローラ１０１は、上記タイマに基づいて、「測光動作２」の開始後であって、かつ終了前に、表示キャラクタ部の表示ＯＮ制御（電極Ｌ２の通電ＯＦＦ）を行う。ステップＳ３０６とステップＳ３０７での表示キャラクタ部の表示ＯＦＦ／ＯＮ制御と測光動作との関係については、後で詳しく説明する。
【００６９】
図６に戻り、ステップＳ２１０では、カメラコントローラ１０１は、スイッチＳＷ１のＯＮが継続しているか否かを確認する。スイッチＳＷ１のＯＮが継続していない場合は、カメラコントローラ１０１は、ステップＳ２０１に戻る。一方、スイッチＳＷ１のＯＮが継続している場合は、カメラコントローラ１０１は、ステップＳ２１１に進み、レリーズスイッチ１１４が全押し操作されてスイッチＳＷ２がＯＮになったか否かを判定する。スイッチＳＷ２がＯＮでなければ、カメラコントローラ１０１は、ステップＳ２０９に戻り、再び「測光動作２」を行う。
【００７０】
一方、スイッチＳＷ２がＯＮになると、カメラコントローラ１０１は、ステップＳ２１２に進み、記録用画像の撮影動作を行う。具体的には、カメラコントローラ１０１は、主ミラー１２６およびサブミラー１２２をアップ動作させ、絞りを設定された絞り値まで絞り込ませ、シャッタ１３３を設定されたシャッタスピードで開閉動作させ、さらに撮像素子１０６による光電変換動作を行わせる。そして、カメラコントローラ１０１は、画像処理部１０８に、撮像素子１０６からの出力信号から記録用画像を生成させ、該記録用画像のデータ格納部１０４への格納と背面モニタ１１３への表示とを行う。記録用画像の背面モニタ１１３への表示は、所定時間の間のみ行われる。
【００７１】
次にステップＳ２１４では、カメラコントローラ１０１は、再びスイッチＳＷ１のＯＮが継続しているか否か（連続撮影の指示がなされているか否か）を判定する。スイッチＳＷ１のＯＮが継続していない場合は、カメラコントローラ１０１は、ステップＳ２０１に戻る。一方、スイッチＳＷ１のＯＮが継続している場合は、カメラコントローラ１０１は、ステップＳ２０９に戻り、再度「測光動作２」を行う。
【００７２】
次に、測光動作中におけるファインダ内表示素子１１２であるＰＮ液晶パネルの表示ＯＮ／ＯＦＦ制御（または表示ＯＦＦ／ＯＮ制御）について詳しく説明する。前述したように、ＰＮ液晶パネル上には、図５に示した１５個の焦点検出領域Ｆ１１〜Ｆ３５に対応する表示キャラクタ部が配置されている。
【００７３】
さらに、１５個の焦点検出領域はそれぞれ、１５個の測光領域Ｓ１１〜Ｓ３５と対応付けられている。図５では、被写界像に対して合焦状態にある４つの焦点検出領域Ｆ１２，Ｆ１３，Ｆ２３，Ｆ３３に対応する表示キャラクタ部が非透過状態となってスーパーインポーズ表示されている。このとき、スーパーインポーズ表示されている表示キャラクタ部も被写界像とともに測光センサ１３０上に結像する。このため、表示されている表示キャラクタ部を含む測光領域では、本来の被写界像のみの輝度が測定されず、表示キャラクタ部の表示（つまりは遮光）によって低下した輝度が測定される。この結果、その測光領域での測光精度が低下する。
【００７４】
例えば、中央の測光領域Ｓ２３では、焦点検出領域Ｆ２３に対応する表示キャラクタ部が表示されると、これが表示されない場合に比べて、測光センサ１３０に入射する光量が該表示キャラクタ部の測光センサ１３０上での投影面積に相当する量だけ減少する。特に、本実施例では、各焦点検出領域の表示キャラクタ部は、焦点検出（ＡＦ）が行われている焦点検出領域であることを示す矩形枠とＡＦが完了したことを示す矩形枠の内側の点とを含み、これら表示キャラクタ部が測光領域にて占める面積の割合は無視できるほどには小さくない。このため、これら表示キャラクタ部が表示されると、測光領域Ｓ２３にて測定される被写界輝度が本来の被写界輝度よりも低下することとなり、結果的にカメラの露出がオーバーとなる露出値が設定されてしまう。
【００７５】
また、測光センサ１３０の高画素化やカラー化によって被写界像のエッジ情報や色情報も得ることが可能であり、これらの情報を利用することで、顔等の特定被写体の認識を行うこともできる。しかし、測光センサ１３０の高画素化に伴って測光領域の分割数が増えると、表示キャラクタ部が各測光領域での測光精度に与える影響は大きくなる。
【００７６】
本実施例では、ファインダ視野内での表示キャラクタ部の良好な視認性を確保しつつ、表示キャラクタ部の表示が測光結果に与える影響を少なくすることができるように、測光動作中の表示キャラクタ部の表示ＯＦＦ／ＯＮ制御を適切に行う。
【００７７】
ここにいう測光動作は、図６のフローチャート中に示した「測光動作１」および「測光動作２」を意味する。ただし、「測光動作１」が行われる時点では、焦点検出領域選択モードが手動モードである場合には、選択された焦点検出領域内の矩形枠の表示キャラクタ部のみが表示され、該表示キャラクタ部の表示による測光への影響はそれほど大きくない。また、焦点検出領域選択モードが自動モードである場合には、選択された焦点検出領域内の矩形枠とその内側の点を含む表示キャラクタ部は、ＡＦが終了するまでは表示されないため、測光動作により得られた被写界輝度に対する影響は全くない。しかも、レリーズスイッチ１１４が半押しで止められずに全押しまで一気に押し込まれて撮影動作を急に開始させるような状況はまれであるため、「測光動作１」において後述する特徴的な表示キャラクタ部の表示ＯＦＦ／ＯＮ制御を行う必要性は乏しい。したがって、本実施例では、「測光動作２」が行われる時点において特徴的な表示キャラクタ部の表示ＯＦＦ／ＯＮ制御を行う。
【００７８】
表示ＯＮ／ＯＦＦ制御は、カメラコントローラ１０１が、温度センサ１３０ａにより得られる温度情報に基づいて、ＥＥＰＲＯＭ１０１ａに記憶された常温用および低温用タイマの情報を用いて表示制御部１１１に指示を出すことで行われる。
【００７９】
まず第１のカメラ動作状態として、ユーザが露出値や合焦状態の確認のためにレリーズスイッチ１１４の半押し操作（ＳＷ１−ＯＮ）を維持している状況で測光動作が繰り返される連続測光中の表示ＯＮ／ＯＦＦ制御について、図１を用いて説明する。連続測光中には、レリーズスイッチ１１４の全押し操作（ＳＷ２−ＯＮ）に応じた撮影動作は行われない。図１には、表示ＯＮ制御を「液晶通電ＯＦＦ」として、また表示ＯＦＦ制御を「液晶通電ＯＮ」として示している。このことは、後に説明で用いる図９および図２についても同じである。
【００８０】
本実施例で用いているＰＮ液晶パネルにおける液晶の応答時間（応答速度）は、以下の通りとする。図９には、液晶が非透過状態から透過状態に変化するときの応答時間である立ち上り時間Ｔｒと、液晶が透過状態から非透過状態に変化するときの応答時間である立ち下り時間Ｔｄとを示している。より詳しくは、立ち上り時間Ｔｒは、液晶の透過率が１０％以下の状態（非透過状態）での表示ＯＦＦ制御（液晶通電ＯＮ）の開始時から透過率が９０％まで増加した状態（透過状態）となるのに要する時間である。立ち下がり時間Ｔｄは、液晶の透過率が９０％以上の状態（透過状態）での表示ＯＮ制御（液晶通電ＯＦＦ）の開始時から該透過率が１０％まで減少した状態（非透過状態）となるのに要する時間である。
【００８１】
このような液晶の応答時間は、常温時と低温時とで変化する。具体的な例としては、２５℃の常温時においては立ち上り時間は１０ｍＳであり、立ち下り時間は２０ｍＳである。一方、−１０℃の低温時においては、立ち上り時間は１００ｍＳであり、立ち下り時間は２００ｍＳである。
【００８２】
このため、本実施例では、低温時（温度センサ１３０ａにより検出される内部温度が所定温度より低いとき）は、常温時（内部温度が所定温度より高いとき）に比べて、表示ＯＦＦ制御のタイミングおよび表示ＯＮ制御のタイミングのうち少なくとも一方を早くする。具体的には、常温時と低温時での表示キャラクタ部の表示ＯＦＦ／ＯＮ制御をそれぞれ、前述した常温用タイマと低温用タイマを用いて別々に行う。
【００８３】
再び図１に戻り、本実施例の説明を続ける。ここで測光動作は２００ｍＳ間隔で繰り返し行われ、１回の測光動作は１０ｍＳの間に行われるものとする。
【００８４】
最初に、連続測光中の常温（２５℃）時における表示ＯＮ／ＯＦＦ制御（液晶通電ＯＦＦ／ＯＮ）について説明する。ユーザによりレリーズスイッチ１１４が半押し操作されてスイッチＳＷ１がＯＮになると、カメラコントローラ１０１は、測光センサ１３０に１回目の測光動作を開始させる。このとき、カメラコントローラ１０１は、ＰＮ液晶パネル上の表示キャラクタ部の表示ＯＦＦ制御（液晶通電ＯＮ）を行い、該表示キャラクタ部を非透過状態から透過状態に向かって変化させる。また、カメラコントローラ１０１は、常温用タイマのカウントを開始する。
【００８５】
カメラコントローラ１０１は、常温用タイマでの設定タイミングである常温ＯＦＦタイマ１にて、つまり測光動作開始時（ＳＷ１−ＯＮ）から測光動作時間である１０ｍＳより短い８ｍＳの経過時点で、表示ＯＮ制御（液晶通電ＯＦＦ）を開始する。表示キャラクタ部は、先の表示ＯＦＦ制御によりまだ十分に透過状態に到達しないうちに今回の表示ＯＮ制御の開始により非透過状態に向かう。このような制御により、測光動作で得られる被写界輝度に対する表示キャラクタ部の影響は、表示キャラクタ部が測光動作中に継続して非透過状態にある場合に比べて、おおよそ半分程度に軽減される。
【００８６】
次に、カメラコントローラ１０１は、２回目の測光動作を開始する前のＳＷ１−ＯＮから１９０ｍＳ経過時点（常温ＯＮタイマ２）にて、再び表示キャラクタ部の表示ＯＦＦ制御（液晶通電ＯＮ）を開始する。２回目の測光動作の開始はＳＷ１−ＯＮから２００ｍＳ経過後であるので、２回目の測光動作は、表示キャラクタ部がほぼ完全に透過状態となってから開始されることになる。常温ＯＮタイマ２は、常温時の非表示制御タイミングに相当する。
【００８７】
次に、カメラコントローラ１０１は、２回目の測光動作の途中であるＳＷ１−ＯＮから２０５ｍＳ経過時点（常温ＯＦＦタイマ２）で表示キャラクタ部の表示ＯＮ制御（液晶通電ＯＦＦ）を開始する。これは、表示キャラクタ部が十分に透過状態になっており、早めに表示ＯＮ制御を開始しても実質的な測光への影響は軽微であり、むしろファインダ視野内での表示キャラクタ部が薄く（淡く）表示されるのを避けた方が良いためである。常温ＯＦＦタイマ２は、常温時の表示制御タイミングに相当する。
【００８８】
２回目の測光動作以降の表示ＯＮ／ＯＦＦ制御は常温ＯＦＦタイマ２と常温ＯＮタイマ２とによって繰り返し行われる。
【００８９】
次に、連続測光中の低温（−１０℃）時における表示ＯＮ／ＯＦＦ制御について説明する。ユーザによりレリーズスイッチ１１４が半押し操作されてスイッチＳＷ１がＯＮになると、カメラコントローラ１０１は、常温時と同様に測光センサ１３０に１回目の測光動作を開始させる。このとき、カメラコントローラ１０１は、常温時と同様に、表示キャラクタ部の表示ＯＦＦ制御（液晶通電ＯＮ）を開始し、該表示キャラクタ部を非透過状態から透過状態に向けて変化させる。ただし、その変化は常温時よりも緩やかなものとなる。また、カメラコントローラ１０１は、低温用タイマのカウントを開始する。
【００９０】
カメラコントローラ１０１は、低温用タイマでの設定タイミングである低温ＯＦＦタイマ１にて、つまり測光動作開始時（ＳＷ１−ＯＮ）から、常温ＯＦＦタイマ１よりも遅いタイミングである１０ｍＳの経過時点で、表示ＯＮ制御（液晶通電ＯＦＦ）を開始する。１０ｍＳは、前述した測光動作時間である。
【００９１】
これにより、表示キャラクタ部は１回目の測光動作の開始から僅かに透過状態に向かって変化してから再び非透過状態に向かって変化する。このときの表示キャラクタ部の透過率の変化は、僅かでも透過状態に向かって変化しない場合に比べて、測光に対する影響を若干改善する程度である。しかし、１回目の測光動作の結果によって露出制御が行われることはまれであり、２回目以降の測光動作で安定的に測光を行うことが重要であるので、ここではこれ以上の説明は行わない。
【００９２】
次に、カメラコントローラ１０１は、２回目の測光動作に備えて、ＳＷ１−ＯＮから、常温ＯＮタイマ２よりも早いタイミングである１５０ｍＳ経過時点（低温ＯＮタイマ２）で表示ＯＦＦ制御（液晶通電ＯＮ）を開始する。低温ＯＮタイマ２が、低温時における非表示制御タイミングに相当する。２回目の測光動作の開始タイミングは、ＳＷ１−ＯＮから２００ｍＳ経過後であるので、表示キャラクタ部が７０〜８０％の透過率にある状態で測光動作が開始される。
【００９３】
この後、カメラコントローラ１０１は、常温ＯＦＦタイマ２よりも早いタイミングである２回目の測光動作の開始時、すなわちＳＷ１−ＯＮから２００ｍＳ経過時点（低温ＯＦＦタイマ２）で表示キャラクタ部の表示ＯＮ制御（液晶通電ＯＦＦ）を開始する。これは、表示キャラクタ部がある程度透過状態にあり、また低温下で立ち下り時間が遅いために、早めのタイミングで表示ＯＮ制御を開始しても測光への影響は軽微であり、むしろファインダ視野内で表示キャラクタ部が淡く表示されるのを避けるのが良いためである。低温ＯＦＦタイマ２が、低温時における表示制御タイミングに相当する。
【００９４】
２回目の測光動作以降の表示ＯＦＦ／ＯＮ制御はそれぞれ、低温ＯＮタイマ２と低温ＯＦＦタイマ２とによって繰り返し行われる。
【００９５】
このとき、表示キャラクタ部は完全な透過状態と完全な非透過状態にはならないが、測光への影響は軽微である。一方、ファインダ視野内の表示キャラクタ部のコントラストは、常温時よりも下がるが、液晶特性そのものが低温下ではコントラストが高くなる傾向があるため、表示キャラクタ部の実質的な見えの変化は少ない。
【００９６】
次に、第２のカメラ動作状態として、ユーザがカメラに連続撮影を行わせるためにレリーズスイッチ１１４の全押し操作（ＳＷ２−ＯＮ）を維持している状況での表示ＯＮ／ＯＦＦ制御について、図２を用いて説明する。この状況では、連続撮影中の撮影動作ごとに測光動作が繰り返される。図２は、１秒間に５枚の静止画像の連続撮影（連写）が可能な場合の表示キャラクタ部の表示ＯＮ／ＯＦＦ制御を示すタイミングチャートである。図２における第２の状態でも、図１における第１の状態と同様に、液晶の応答時間が常温の場合と低温の場合とで変化するが、ここでは表示ＯＮ制御のタイミングのみを異ならせている。
【００９７】
連写中の常温（２５℃）時における表示ＯＮ／ＯＦＦ制御について説明する。ユーザによりレリーズスイッチ１１４が全押し操作されてスイッチＳＷ２がＯＮになると、カメラコントローラ１０１は、主ミラー１２６およびサブミラー１２２（以下、まとめてミラーという）をアップ位置に移動させて撮影光路外に退避させる。これにより、光学ファインダを通じた被写界観察はできなくなる。ミラーが完全に撮影光路から退避するのに要する時間は４０ｍＳ未満であるが、ミラーの完全退避を保証するために、ミラーアップタイマはＳＷ２−ＯＮから４０ｍＳに設定されている。
【００９８】
また、ミラーアップタイマに加えて、カメラコントローラ１０１が交換レンズとの通信や絞りの設定等に要する時間が必要であるため、撮影（露光）を許可する時間としてのレリーズ安定タイマが、ＳＷ２−ＯＮから５０ｍＳに設定されている。この５０ｍＳを越えると、フォーカルプレーンシャッタ１３３の先幕が走行し、さらに連写スピード（５画像／秒）に対応した時間が経過すると後幕が走行する。これにより、約１０ｍＳの露光が完了する。
【００９９】
露光が終了すると、カメラコントローラ１０１は、ミラーをダウン位置に復帰させる。この際、主ミラー１２６がカメラ１００の不図示のミラーボックスに設けられたストッパに衝突してバウンドする。このため、光学ファインダを通じて安定的に被写界像を観察できるようになるまでの時間を、ミラーダウンタイマとして、シャッタ１３３の後幕走行開始時点から６０ｍＳに設定されている。ミラーダウンタイマの６０ｍＳが経過してミラーの状態が安定すると、カメラコントローラ１０１は、測光センサ１３０に１回目の測光動作を１０ｍＳ間で行わせる。
【０１００】
また、ミラーがダウン位置に復帰すると同時に、該ミラーを再度アップ位置に移動させるためのメカ的なチャージ動作が行われる。本実施例では、シャッタ１３３の後幕走行開始時点から１４０ｍＳ後にミラーが再度アップ位置に向かって退避を開始する。
【０１０１】
ＰＮ液晶パネルの表示キャラクタ部の表示ＯＮ／ＯＦＦ制御については、ミラーが撮影光路外に退避すると光学ファインダを通じた被写界像の観察そのものができなくなるため、表示キャラクタ部を表示しておく意味はない。必要なことは、再度ミラーがダウン位置に復帰して、測光動作が開始される前に表示キャラクタ部を透過状態にしておくことである。
【０１０２】
そこで、カメラコントローラ１０１は、ミラーがおおむねアップ位置に到達したとみなせるＳＷ２−ＯＮから３０ｍＳ経過時（ＯＮタイマ３）に表示ＯＦＦ制御（液晶通電ＯＮ）を開始し、表示キャラクタ部を非透過状態から透過状態に向かって変化させる。ＯＮタイマ３は、常温時の非表示制御タイミング（かつ、後述するように低温時の非表示制御タイミング）に相当する。
【０１０３】
次に、カメラコントローラ１０１は、１０ｍＳの測光動作を行わせる。そして、カメラコントローラ１０１は、該測光動作の終了前のタイミングであるシャッタ１３３の後幕の走行開始時点から６６ｍＳ経過した時点（常温ＯＦＦタイマ３）で表示ＯＮ制御（液晶通電ＯＦＦ）を開始する。これにより、表示キャラクタ部を透過状態から非透過状態に変化させる。この表示キャラクタ部の非透過状態への変化は、測光動作の後半にて測光に影響を与えるが、その影響は軽微である。逆に、表示キャラクタ部が早めに透過状態から非透過状態に変化することで、ファインダ視野内で表示される表示キャラクタ部のコントラストを高くすることができる。常温ＯＦＦタイマ３は、常温時の表示制御タイミングに相当する。
【０１０４】
次に連写中の低温（−１０℃）時における表示ＯＮ／ＯＦＦ制御について説明する。ユーザによりレリーズスイッチ１１４が全押し操作されてスイッチＳＷ２がＯＮになると、カメラコントローラ１０１は、常温時と同様にミラーをアップ位置に移動させて撮影光路外に退避させる。このとき、カメラコントローラ１０１は、常温時と同様に、ＳＷ２−ＯＮから３０ｍＳ経過時点（ＯＮタイマ３）で表示ＯＦＦ制御（液晶通電ＯＮ）を開始し、表示キャラクタ部を非透過状態から透過状態に向けて変化させる。ＯＮタイマ３はもともと低温での液晶の応答速度の遅れを考慮して設定されており、常温時と低温時に共用されている。
【０１０５】
前述したように−１０℃における液晶の立ち上り時間は１００ｍＳであるので、測光動作の開始までの余裕時間である８０ｍＳの間には非透過状態からほぼ透過状態まで変化することができる。しかし、その後に表示ＯＮ制御（液晶通電ＯＦＦ）が行われたときの液晶の立ち下り時間が２００ｍＳと遅い。このため、カメラコントローラ１０１は、表示キャラクタ部の見え方が良好となるように、シャッタ１３３の後幕の走行開始時点から３５ｍＳ経過時点（低温ＯＦＦタイマ３）にて表示ＯＮ制御（液晶通電ＯＦＦ）を開始する。この低温ＯＦＦタイマ３のタイミングは、測光動作の終了前、かつ開始前のタイミングであり、低温時の表示制御タイミングに相当する。
【０１０６】
本実施例では、第１および第２のカメラ動作状態での表示キャラクタ部の表示ＯＮ／ＯＦＦ制御において、検出温度が所定温度より低い場合は、それより高い場合に比べて、非表示制御タイミングおよび表示制御タイミングのうち少なくとも一方を早くした。これにより、常温か低温かにかかわらず、連続測光中および連写中の測光動作の測光精度に対する表示キャラクタ部の影響を少なくすることができる。しかも、表示される表示キャラクタ部のコントラストが低下して、視認しにくくなることも回避でき、ファインダ内情報の良好なスーパーインポーズ表示を行うことができる。
【０１０７】
なお、上記実施例では、常温時（２５℃）と低温時（−１０℃）という２つの温度環境下での表示ＯＮ／ＯＦＦ制御について説明した。しかし、３つ以上の温度環境下で互いに異なるタイミングで表示ＯＮ／ＯＦＦ制御を行ってもよい。例えば、１０℃以上、１０℃未満かつ−５℃以上、−５℃未満かつ−１５℃、−１５℃未満という４つの温度環境を設定してもよい。
【０１０８】
また、上記実施例では、ＰＮ液晶パネルをファインダ内表示素子として用いる場合について説明したが、本発明は、ＰＮ液晶パネル以外の液晶表示素子であって温度によって応答速度が変化するものをファインダ内表示素子として用いる場合にも適用することができる。
【０１０９】
以上説明した各実施例は代表的な例にすぎず、本発明の実施に際しては、各実施例に対して種々の変形や変更が可能である。
【産業上の利用可能性】
【０１１０】
ファインダ内情報のスーパーインポーズ表示と被写界情報の測定とを行える撮像装置を提供できる。
【符号の説明】
【０１１１】
１０１  カメラコントローラ
１０５ａ  撮影光学系
１１１  表示制御部
１１２  ファインダ内表示素子（ＰＮ液晶パネル）
１２８  ピント板
１２９  測光レンズ
１３０  測光センサ
１３０ａ  温度センサ
【図１】
0005725988.tif 000002
【図２】
0005725988.tif 000003
【図３】
0005725988.tif 000004
【図４】
0005725988.tif 000005
【図５】
0005725988.tif 000006
【図６】
0005725988.tif 000007
【図７】
0005725988.tif 000008
【図８】
0005725988.tif 000009
【図９】
0005725988.tif 000010